(57)【要約】【課題】仰向けに寝て、膝の屈伸運動等の体を前後方向へ移動させようとする力が生じる運動を行っても、体が前後方向へずれるのを防止することができる運動用枕を提供する。【解決手段】運動用枕１では、膝の屈伸運動のように体を前後方向へ移動させようとする力が生じる運動を行っても、体を前後方向へ移動させようとする力が揺動ブロック３を時計回りの方向または反時計回りの方向へ回動する力に変換される。従って、膝の屈伸運動を行っても、体が前後方向にずれてしまい運動が行い難くなってしまう不都合を回避することができる。【選択図】        図６
2009000314.tif 000002
【特許請求の範囲】
【請求項１】
揺動ブロックと、前記揺動ブロックの下面の前端側を支持し弾性変形可能な材料によって構成される前側支持部材と、前記揺動ブロックの下面の後端側を支持し弾性変形可能な材料によって構成される後側支持部材と、前側支持部材と後側支持部材を前記揺動ブロックに固定する固定手段とを有する運動用枕であって、前記運動用枕を首の下に置いて仰向けに寝て、当該運動用枕で頭部を支持させた状態で、膝の屈伸運動等の体を頭部の方向と足先の方向へ移動させようとする力が生じる運動を行うものであることを特徴とする運動用枕。
【請求項２】
請求項１に記載した運動用枕において、前側支持部材と後側支持部材の少なくとも前側支持部材は、揺動ブロックの下面から前面に接合するように延びる形状に形成されていることを特徴とする運動用枕。
【請求項３】
請求項２または３に記載した運動用枕において、前記揺動ブロック、前側支持部材及び後側支持部材に巻き付けられる巻き付けカバーを具備したことを特徴とする運動用枕。
【請求項４】
請求項１から３のいずれかに記載した運動用枕において、固定手段は、前記揺動ブロック、前側支持部材及び後側支持部材に巻かれて、前記揺動ブロック、前側支持部材及び後側支持部材を纏めた状態に保持する保持シートを有することを特徴とする運動用枕。
【発明の詳細な説明】
【技術分野】
【０００１】
本発明は運動用枕に係り、特に仰向けに寝た状態で膝の屈伸運動等を行っても体が頭部の方向や足の方向へずれるのを防止できる運動用枕に関するものである。
【背景技術】
【０００２】
近年、腹部の脂肪を減らすために効果にあるとされる種々の運動が考えられており、その一つに仰向けで寝た状態で膝を屈伸する運動がある。詳述すると、床に仰向けに寝て、踵を床から僅かに持ち上げた状態から膝を頭部の方向へ近づけるようにして曲げて限界まで曲げたところで、膝を伸ばして真っ直ぐにする。これを複数回繰り返す。
上記のような運動を行う場合に、少し頭部が持ち上がった状態の方が楽な姿勢となり運動を行い易い。そこで、寝具としての枕を用いて、首から後頭部を支持させた状態で上記のような運動を行うのが一般的に行われている。
【発明の開示】
【発明が解決しようとする課題】
【０００３】
しかしながら、仰向けに寝た状態で膝を屈伸させると、体を頭部の方向（以下、後記する実施の形態を含めて前方という。）へ移動させようとする力が生じて、運動中に体が前方へずれてしまい運動が行い難いという問題がある。また膝を勢いよく伸ばすことによって体が足の方向（以下、後記する実施の形態を含めて後方という。）へ移動させようとする力が生じて、運動中に体が後方へずれてしまい運動が行い難いという人もいる。いずれにせよ上記のように運動中に体が前後方向へずれると運動が行い難く、運動の効果が半減してしまうことなる。
本発明は上記従来の問題点に着目して為されたものであり、仰向けに寝て、膝の屈伸運動等の体を前後方向へ移動させようとする力が生じる運動を行っても、体が前後方向へずれるのを防止することができる運動用枕を提供することを、その目的とする。
【課題を解決するための手段】
【０００４】
本発明は上記課題を解決するために為されたものであり、請求項１の発明は、
揺動ブロックと、前記揺動ブロックの下面の前端側を支持し弾性変形可能な材料によって構成される前側支持部材と、前記揺動ブロックの下面の後端側を支持し弾性変形可能な材料によって構成される後側支持部材と、前側支持部材と後側支持部材を前記揺動ブロックに固定する固定手段とを有する運動用枕であって、前記運動用枕を首の下に置いて仰向けに寝て、当該運動用枕で頭部を支持させた状態で、膝の屈伸運動等の体を頭部の方向と足先の方向へ移動させようとする力が生じる運動を行うものであることを特徴とする運動用枕である。
【０００５】
請求項２の発明は、請求項１に記載した運動用枕において、前側支持部材と後側支持部材の少なくとも前側支持部材は、揺動ブロックの下面から前面に接合するように延びる形状に形成されていることを特徴とする運動用枕である。
【０００６】
請求項３の発明は、請求項２または３に記載した運動用枕において、前記揺動ブロック、前側支持部材及び後側支持部材に巻き付けられる巻き付けカバーを具備したことを特徴とする運動用枕である。
【０００７】
請求項４の発明は、請求項１から３のいずれかに記載した運動用枕において、固定手段は、前記揺動ブロック、前側支持部材及び後側支持部材に巻かれて、前記揺動ブロック、前側支持部材及び後側支持部材を纏めた状態に保持する保持部材を有することを特徴とする運動用枕である。
【発明の効果】
【０００８】
本発明の運動用枕を首の下に置いて仰向けに寝て、当該運動用枕で頭部を支持させた状態で、膝の屈伸運動等の体を前後方向へ移動させようとする力が生じる運動を行う仰向けに寝て、膝の屈伸運動等の体を前後方向へ移動させようとする力が生じる運動を行っても、体が前後方向へずれるのを防止することができる。従って、当該運動の効果が半減してしまうのを防止することができるようになる。
【０００９】
本発明の実施の形態に係る運動用枕１を図面にしたがって説明する。
符号３は揺動ブロックを示し、この揺動ブロック３はウレタン等の合成樹脂製であり、頭部を載せた程度の荷重では変形しない程度の硬度を有している。また、揺動ブロック３は円柱を横断したほぼ蒲鉾様の形状を有しており、下端部の幅寸法が６ｃｍ程度で長さが３０ｃｍ程度である。
【００１０】
符号５は前側支持部材を示し、この前側支持部材５は発泡ウレタン等の合成樹脂製であり、揺動凹部ロックより柔らかく弾性変形可能である。また、側面視がほぼＬ字形に形成され、厚さ寸法が１．５ｃｍ、幅３ｃｍ、高さ３ｃｍ、長さが３０ｃｍ程度である。
符号７は後側支持部材を示し、この後側支持部材７は前側支持部材５と同じ材料によって構成され、また同じ寸法に形成されている。
従って、前側支持部材５は、揺動ブロック３の下面から前面に接合するように延びる形状に形成され、後側支持部材７は下面から後面に接合するように延びる形状に形成されている。
【００１１】
符号９は保持部材としての保持シートを示し、この保持シート９は長さ方向の両端部には面ファスナ１１が設けられ、この面ファスナ１１によって両端部が連結できるようになっている。
符号１３は巻き付けカバーを示し、この巻き付けカバー１３はウレタン等の合成樹脂製で、上面に一定間隔で浅い凹部１５が形成されている。
【００１２】
揺動ブロック３の下面前端部には前側支持部材５が装着され、揺動ブロック３の下面後端部には後側支持部材７が装着される。即ち、側面視がほぼＬ字形の前側支持部材５が揺動ブロック３の下面前端部の角部に嵌るように装着されて、揺動ブロック３の下面の前端側を支持する。また後側支持部材７が揺動ブロック３の下面後端部の角部に嵌るように装着されて、揺動ブロック３の下面の後端側を支持する。前側支持部材５は、揺動ブロック３の下面から前面に跨るように接合し、後側支持部材７は下面から後面に跨るように接合する
この状態で保持シート９を揺動ブロック３、前側支持部材５及び後側支持部材７に巻き付ける。そして、面ファスナ１１を連結し保持シート９を環状になるようにして、前側支持部材５と後側支持部材７を揺動ブロック３に固定する。保持シート９によって固定手段が構成されている。
【００１３】
次いで、保持シート９によって前側支持部材５と後側支持部材７を揺動ブロック３に固定されたものに巻き付けカバー１３を巻き付けて、運動用枕１が完成する。巻き付けカバー１３には凹部１５が形成されているので、保持シート９の上から巻き付けた巻き付けカバー１３が巻き戻るのを防止することができる。
なお、巻き付けカバー１３を適宜切断して短くすることによって、運動用枕１の高さを調節することが可能である。
【００１４】
次に、この運動用枕１の使用方法について説明する。
図３に示すように運動用枕１を首の下に置いて仰向けに寝て、当該運動用枕で頭部を支持させた状態とする。このとき運動用枕１の前側支持部材５と後側支持部材７にはほぼ等しい荷重がかかった状態となっており、図４に示すように揺動ブロック３がほぼ水平となる中立位置となっている。
【００１５】
次いで図５に示すように仰向けになった状態のまま膝の屈伸運動を行う。膝を曲げると、体を前方へ移動させようとする力が生じて、これにより運動用枕１に図６において反時計回りの方向へ回動させようとする力が加わる。この力によって同図に示すように揺動ブロック３が前側支持部材５を弾性変形させながら反時計回りの方向へ回動する。このように体を前方へ移動させようとする力は、揺動ブロック３を反時計回りの方向へ回動させる力に変換される。
【００１６】
また、膝を曲げた状態から図３に示した状態となるように膝を伸ばすと体を後方へ移動させようとする力が生じて、これにより運動用枕１に図７において時計回りの方向へ回動させようとする力が加わる。この力によって同図に示すように揺動ブロック３が後側支持部材７を弾性変形させながら時計回りの方向へ回動する。このように体を後方へ移動させようとする力は、揺動ブロック３が時計回りの方向へ回動する力に変換される。
そして、揺動ブロック３にかかる時計回りの方向または反時計回りの方向の力が除かれると、図４に示したように揺動ブロック３が中立位置に復帰する。
【００１７】
このように運動用枕１では、膝の屈伸運動のように体を前後方向へ移動させようとする力が生じる運動を行っても、体を前後方向へ移動させようとする力が揺動ブロック３を時計回りの方向または反時計回りの方向へ回動する力に変換される。従って、膝の屈伸運動を行っても体が前後方向にずれてしまうことはなく、運動が行い難くなるのを防止することができる。よって運動の効果が半減してしまう不都合を回避することができる。
【００１８】
以上、本発明の実施の形態について詳述してきたが、具体的構成は、この実施の形態に限られるものではなく、本発明の要旨を逸脱しない範囲における設計の変更などがあっても発明に含まれる。
例えば、運動用枕１の高さを調節するため巻き付けカバー１３を切断する際の目安となるように、巻き付けカバー１３に切断するための目盛等の目印を設けるようにしてもよい。
また、運動用枕のサイズは、上記実施の形態に限定されるものではなく、使用する者に合わせたサイズとすることができるのは勿論である。
【００１９】
固定手段としての保持シート９の代わりに紐状体を用いて前側支持部材５及び後側支持部材７を揺動ブロック３に結束する構成としてもよい。
本発明の運動用枕１は体を前後方向へ移動させようとする力が生じる運動であれば膝の屈伸運動に限定されるものではない。例えば仰向けに寝た姿勢で両腕を揺動させる運動を行うに際に体が前後方向へずれてしまうのを有効に防止することが可能である。
また、巻き付けカバー１３を備えない構成とすることも可能である。
【産業上の利用可能性】
【００２０】
本発明の運動用枕は寝た姿勢で運動を行うための運動用具の産業上の利用分野において広く利用することが可能である。
【図面の簡単な説明】
【００２１】
【図１】本発明の実施の形態に係る運動用枕の斜視図である。
【図２】図１の運動用枕の分解斜視図である。
【図３】図１の運動用枕を首の下の置いて仰向けに寝て膝を伸ばした状態を示す図である。
【図４】図３の状態における運動用枕の様子を示す側面図である。
【図５】図１の運動用枕を首の下の置いて仰向けに寝て膝を曲げた状態を示す図である。
【図６】図５の状態における運動用枕の様子を示す側面図である。
【図７】図５に示す状態から図３に示す状態となるように膝を伸ばしたときの運動用枕の様子を示す側面図である。
【符号の説明】
【００２２】
１  運動用枕      ３  揺動ブロック      ５  前側支持部
７  後側支持部      ９  保持シート      １１  面ファスナ
１３  巻き付けカバー      １５  凹部
【図１】
2009000314.tif 000003
【図２】
2009000314.tif 000004
【図３】
2009000314.tif 000005
【図４】
2009000314.tif 000006
【図５】
2009000314.tif 000007
【図６】
2009000314.tif 000008
【図７】
2009000314.tif 000009